【事件の表示】
　特許第５７８７０６６号に関する訂正審判事件について、次のとおり審決する。
【結　論】
　特許第５７８７０６６号の明細書、特許請求の範囲を本件審判請求書に添付された訂正明細書、特許請求の範囲のとおり訂正することを認める。
【理　由】
第１　手続の経緯
　本件特許第５７８７０６６号（以下「本件特許」という。）は、平成２３年５月２日に出願され、平成２７年８月７日に特許権の設定の登録がなされ、同年１２月２日に本件訂正審判の請求がなされた。
　
第２　審判請求の趣旨
　本件審判請求の趣旨は、本件特許の明細書、特許請求の範囲を本件審判請求書に添付した訂正明細書、特許請求の範囲のとおり訂正することを認める、との審決を求めるものである。
　
第３　訂正の内容
　本件特許の訂正の内容は、次のとおりである。
　１　訂正事項１（請求項１に係る訂正事項）
　訂正事項１は、請求項１の「前記選択手段の選択結果を一時記憶する一時記憶手段と、」との記載を、「前記
演出内容
　
　２　訂正事項２（【０００８】に係る訂正事項）
　訂正事項２は、本件特許明細書の【０００８】に「請求項１に記載の発明では、複数種の絵柄を循環表示させる循環表示手段と、前記絵柄の循環表示を開始させるべく操作される開始操作手段と、役の抽選を行う抽選手段と、前記絵柄の循環表示を停止させるべく操作される停止操作手段と、前記役の抽選に当選した当選役と対応する当選絵柄が有効位置に所定の組合せを形成して停止したことに基づいて、入賞成立として遊技者に特典を付与する特典付与手段とを備えた遊技機において、演出内容に関わる演出内容情報が複数種類設定された演出内容情報群を予め記憶する演出内容情報群記憶手段と、演出期間を設定する演出期間設定手段と、前記演出期間設定手段が前記演出期間を設定した場合、前記演出期間の各遊技回に実行する演出内容を決定すべく、前記演出内容情報群から前記演出内容情報を複数回選択可能な演出内容選択手段と、前記選択手段の選択結果を一時記憶する一時記憶手段と、前記一時記憶手段に記憶された情報に基づいて演出を実行する演出実行手段とを備え、所定の判定結果を示唆する判定結果演出を有し、前記演出内容選択手段を、前記演出期間設定手段の設定した演出期間の残り回数が特定回数以下となるまで前記演出内容情報群から前記演出内容情報を選択する構成とするとともに、前記演出期間の残り回数が前記特定回数以下となった場合、前記演出期間の最後の遊技回で前記判定結果演出を実行するよう、所定の抽選を行って前記演出期間の残りの遊技回の演出内容情報を選択する構成としたことを特徴とする。」とあるのを、「請求項１に記載の発明では、複数種の絵柄を循環表示させる循環表示手段と、前記絵柄の循環表示を開始させるべく操作される開始操作手段と、役の抽選を行う抽選手段と、前記絵柄の循環表示を停止させるべく操作される停止操作手段と、前記役の抽選に当選した当選役と対応する当選絵柄が有効位置に所定の組合せを形成して停止したことに基づいて、入賞成立として遊技者に特典を付与する特典付与手段とを備えた遊技機において、演出内容に関わる演出内容情報が複数種類設定された演出内容情報群を予め記憶する演出内容情報群記憶手段と、演出期間を設定する演出期間設定手段と、前記演出期間設定手段が前記演出期間を設定した場合、前記演出期間の各遊技回に実行する演出内容を決定すべく、前記演出内容情報群から前記演出内容情報を複数回選択可能な演出内容選択手段と、前記
演出内容
　
第４　当審の判断
　１　訂正事項１について
　（１）訂正の目的の適否について
　　　ア　訂正前の請求項１の「前記選択手段の選択結果を一時記憶する一時記憶手段」は、当該「前記選択手段」という記載より前に「演出内容選択手段」という記載があるため、「前記選択手段」が演出内容選択手段を指すのか否か不明瞭であるとともに、また、当該「前記選択手段」記載より後ろに「前記演出内容選択手段」という記載があるため、「前記選択手段」の記載と「前記演出内容選択手段」との記載と整合性がないため、訂正前の請求項１の記載内容が不明瞭になっていた。
　
　　　イ　訂正事項１は、「前記選択手段」が「前記演出内容選択手段」であることを明らかにするものであるから、明瞭でない記載の釈明を目的とするものである。
　したがって、訂正事項１は、特許法第１２６条第１項ただし書第３号に掲げる事項を目的とするものである。
　
　（２）訂正が本件特許明細書、特許請求の範囲又は図面（以下「本件特許明細書等」という。）に記載した事項の範囲内のものであるか否かについて
　本件特許発明の「演出内容選択手段」について、本件特許明細書等には、発明の詳細な説明の【０１６０】に「ステップＳ１０１０に進み、表示制御装置８１のＲＯＭに予め記憶された第１演出テーブルを用いて演出抽選を行う。」ことが記載され、
　同【０１７３】に「ステップＳ１０１０の演出抽選では、そのときの抽選用カウンタの値を乱数として取得し、第１演出テーブルから当該乱数値と対応する演出パターン及び演出決定数を取得する。」ことが記載され、
　同【０１７４】に「ステップＳ１０１３に進み、表示制御装置８１のＲＯＭに予め記憶された第２演出テーブルを用いて演出内容の特定を行う。」ことが記載され、
　同【０１７７】に「ステップＳ１０１３では、そのときの演出決定数カウンタの値を参照し、演出決定数カウンタの値と対応する演出パターンを特定する。」ことが記載されている。
　つまり、本件特許発明の「演出内容選択手段」は、発明の詳細な説明に記載され、【図３３】に図示されたステップＳ１０１０及びステップＳ１０１３に対応する。
　
　また、同【０１７３】には、「演出内容記憶処理では、ステップＳ１０１０の演出抽選において取得した演出パターンに規定された各ゲームの演出内容及び演出変更の可否を、演出記憶エリア１００１の記憶用エリア１００１ａに記憶する。」ことが記載され、
　同【０１７７】に「ステップＳ１０１５の演出内容記憶処理では、ステップＳ１０１３にて特定した演出パターンに規定された各ゲームの演出内容及び演出変更の可否を、演出記憶エリア１００１の記憶用エリア１００１ａに記憶する。」ことが記載されている。
　つまり、本件特許発明の「一時記憶手段」は、発明の詳細な説明に記載され、【図３５】に図示された演出記憶エリア１００１の記憶用エリア１００１ａに対応する。
　
　したがって、本件特許発明の「
演出内容
　
　よって、訂正事項１は特許法第１２６条第５項の規定に適合する。
　
　（３）訂正が実質上特許請求の範囲を拡張し、又は変更するものであるか否かについて
　訂正事項１は、上記（１）のとおり、不明瞭な記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
　２　訂正事項２について
　（１）訂正の目的の適否について
　訂正事項２は、訂正事項１に係る訂正に伴って、特許請求の範囲の記載と発明の詳細な説明の記載との整合を図るために、本件特許明細書の【０００８】の記載を、訂正後の請求項１の記載と整合させるものである。
　したがって、訂正事項２は、特許法第１２６条第１項ただし書第３号に掲げる「明瞭でない記載の釈明」を目的とするものである。
　
　（２）訂正が本件特許明細書等に記載した事項の範囲内のものであるか否かについて 
　訂正事項２は、上記（１）において検討したように、訂正事項１に係る訂正に伴うものであり、訂正事項１は、上記１（２）で検討したとおり、本件特許明細書等の記載に基づくものである。
　そして、訂正事項２は、本件特許明細書等の全ての記載を総合することにより導かれる技術的事項との関係において新たな技術的事項を導入するものではないから、訂正事項２は、訂正事項１と同様に本件特許明細書等に記載した事項の範囲内のものである。
　したがって、訂正事項２は特許法第１２６条第５項の規定に適合する。
　
　（３）訂正が実質上特許請求の範囲を拡張し、又は変更するものであるか否かについて
　訂正事項２は、上記（１）において検討したように、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
第５　むすび
　以上のとおりであるから、本件訂正審判の請求に係る訂正事項１及び２は、特許法第１２６条第１項ただし書第３号に掲げる事項を目的とするものであり、かつ、同条第５項及び第６項の規定に適合するものである。
　
　よって、結論のとおり審決する。